(57)【特許請求の範囲】
【請求項１】
ディジタルラボシステムの一部として適用され、画像が記録された写真フィルムから読取手段によって画像を読み取って画像データを得るために、当該写真フィルムを前記読取手段による読取位置に位置決めすると共に、該写真フィルムは幅方向両端部に光学的に記録されているバーコードがあり、該写真フィルムの長さ方向に沿って搬送しながら前記バーコードのバーの部分の濃度とフィルムベースやバーコードのスペースの濃度とを読取るバーコードセンサを備えたフィルムキャリアであって、
前記バーコードセンサからの信号に基づいて判別される前記バーコードのバーの濃度と当該バー間のスペースを含むフィルムベース濃度情報に基づいて、前記写真フィルムがネガフィルムであるか、リバーサルフィルムであるかを検出する検出手段を備えたことを特徴とするフィルムキャリア。
【発明の詳細な説明】
【０００１】
【発明の属する技術分野】
本発明は、フィルムキャリアに係り、特に搬送された写真フィルムがネガフィルムであるか、リバーサルフィルムであるかを検出することができるフィルムキャリアに関する。
【０００２】
【従来の技術】
写真フィルムに記録された画像を印画紙等の感光材料に焼き付けて画像を形成する画像形成装置には、写真フィルムを搬送するためのフィルムキャリアが設けられている。画像に直接、色バランス等が調整された光を照射してその透過画像を印画紙に焼き付けるアナログプリンタを用いる場合には、フィルムキャリアによって写真フィルムを搬送して印画紙への焼付処理を行う。また、写真フィルムに記録された画像を読み取り、読み取った画像をデジタルの画像データに変換し、変換された画像データを用いて画像を印画紙へ焼き付けるデジタルプリンタを用いる場合には、フィルムキャリアによって写真フィルムを搬送して画像を読み取る。
【０００３】
なお、写真フィルムには、ネガ画像が記録されたネガフィルムやポジ画像が記録されたリバーサルフィルムがある。従来は、ネガフィルムの搬送専用のフィルムキャリアと、リバーサルフィルムの搬送専用のフィルムキャリアとが設けられており、それぞれ専用のフィルムキャリアによって写真フィルムを搬送している。
【０００４】
【発明が解決しようとする課題】
しかしながら、従来は写真フィルムがネガフィルムであるか、リバーサルフィルムであるかをオペレータが判断しているため、搬送の対象とされる写真フィルムに対応するフィルムキャリアを選択する手間を要し、作業性の向上を図ることが困難である、という問題を有している。
【０００５】
本発明は上記問題点を解消するためになされたもので、写真フィルムがネガフィルム及びリバーサルフィルムのいずれにも兼用できるフィルムキャリアを提供することを目的とする。
【０００６】
【課題を解決するための手段】
上記目的を達成するために請求項１に記載の発明は、ディジタルラボシステムの一部として適用され、画像が記録された写真フィルムから読取手段によって画像を読み取って画像データを得るために、当該写真フィルムを前記読取手段による読取位置に位置決めすると共に、該写真フィルムは幅方向両端部に光学的に記録されているバーコードがあり、該写真フィルムの長さ方向に沿って搬送しながら前記バーコードのバーの部分の濃度とフィルムベースやバーコードのスペースの濃度とを読取るバーコードセンサを備えたフィルムキャリアであって、前記バーコードセンサからの信号に基づいて判別される前記バーコードのバーの濃度と当該バー間のスペースを含むフィルムベース濃度情報に基づいて、前記写真フィルムがネガフィルムであるか、リバーサルフィルムであるかを検出する検出手段を備えたことを特徴としている。
【０００７】
請求項１記載の発明によれば、フィルムキャリアには、搬送される写真フィルムがネガフィルムであるか、リバーサルフィルムであるかを検出する検出手段が設けられている。
検出手段としては、前記写真フィルムの幅方向両端部に光学的に記録されているバーコードを読取るバーコードセンサが適用可能であり、バーコードセンサからの信号に基づいて判別される前記バーコードのバーの濃度と当該バー間のスペースを含むフィルムベース濃度情報に基づいて、前記写真フィルムがネガフィルムであるか、リバーサルフィルムであるかを検出することができる。
【０００８】
写真フィルムには、この写真フィルムの幅方向両端部にバーコードが記録されたバーコード記録領域が形成されており、ネガフィルムの場合にはバーコードのバーに相当する部分の濃度が高く、リバーサルフィルムの場合にはバーコードのバーに相当する部分の濃度が低くなっている。従って、検出手段としては、バーコード記録領域を写真フィルムの長さ方向に沿って光学的に検出する光学センサを使用することができる。光学センサからは、写真フィルムの濃度に応じた信号が出力されるので、写真フィルムに記録されたバーコードのバーを検出したときに出力される信号のレベルがフィルムベースやバーコードのバーのスペース（フィルムベースと同じ濃度）を検出したときに出力される信号のレベルよりも低い場合には、写真フィルムがネガフィルムであると判定することができる。一方、バーコードのバーを検出したときに出力される信号のレベルがフィルムベース等を検出したときに出力される信号のレベルよりも高い場合には、写真フィルムがリバーサルフィルムであると判定することができる。
【０００９】
こうして、フィルムキャリアで搬送される写真フィルムがネガフィルムであるか、リバーサルフィルムであるかを判定できるので、それぞれに対応する専用のフィルムキャリアを備える必要がなく、同一のフィルムキャリアをいずれの写真フィルムにも兼用することができる。
【００１５】
【発明の実施の形態】
以下、図面を参照して本発明の実施の形態について詳細に説明する。なお、以下では、まず本実施の形態に係るディジタルラボシステム１０について説明する。
【００１６】
（システム全体の概略構成）
図１には本実施の形態に係るディジタルラボシステム１０の概略構成が示されており、図２にはディジタルラボシステム１０の外観が示されている。このディジタルラボシステム１０は、ラインＣＣＤスキャナ１２、画像処理部１６、レーザプリンタ部１８及びプロセッサ部２０を含んで構成されている。また、図２に示されるように、ラインＣＣＤスキャナ１２と画像処理部１６は入力部２６に設けられており、レーザプリンタ部１８とプロセッサ部２０は出力部２８に設けられている。
【００１７】
ラインＣＣＤスキャナ１２は、ネガフィルムやリバーサルフィルム等の写真フィルムに記録されているフィルム画像を読み取るためのものである。例えば、１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムに記録されたフィルム画像を読取対象とすることができる。ラインＣＣＤスキャナ１２には、Ｒ、Ｇ、Ｂ測光用のセンサが３列配列されて構成されたラインＣＣＤ７４（図３参照）が備えられ、このラインＣＣＤ７４によってフィルム画像を読み取り、Ｒ、Ｇ、Ｂ３色の画像データを出力する。
【００１８】
画像処理部１６は、ラインＣＣＤスキャナ１２から出力された画像データ（スキャン画像データ）が入力されると共に、デジタルカメラでの撮影によって得られた画像データ、フィルム画像以外の原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）こと等も可能なように構成されている。
【００１９】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えば、メモリカード等の記憶媒体に出力したり、通信回線を介して他の情報処理機器へ送信する等）ことも可能である。
【００２０】
レーザプリンタ部１８はＲ、Ｇ、Ｂのレーザ光を照射するレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００２１】
（ラインＣＣＤスキャナの構成）
図３に示されるように、ラインＣＣＤスキャナ１２の光学系は、ハロゲンランプやメタルハライドランプ等からなり、写真フィルム２２に光を照射する光源６４と、写真フィルム２２に照射する光を拡散光とする光拡散ボックス６６が光源６４の光射出側における光軸Ｌに沿って順に配設されている。
【００２２】
写真フィルム２２は、光拡散ボックス６６の光射出側に配置されたフィルムキャリア１４（図６参照、図３では図示省略）によってフィルム画像の画面が光軸と垂直になるように搬送される。
【００２３】
また、光源６４と光拡散ボックス６６との間には、Ｃ（シアン）、Ｍ（マゼンタ）、Ｙ（イエロー）の調光フィルタ７０Ｃ、７０Ｍ、７０Ｙが射出光の光軸Ｌに沿って順に配置されている。調光フィルタ７０Ｃ、７０Ｍ、７０Ｙは、それぞれ独立に移動可能に構成されており、光源６４から射出される各成分色光の光量のバランスやラインＣＣＤ７４の各成分色光に対する感度等を考慮して光路中への挿入量を調整することができる。これにより、ラインＣＣＤ７４におけるＲ、Ｇ、Ｂの３色の受光量を調整する。
【００２４】
写真フィルム２２を挟んで光源６４と反対側には、光軸Ｌに沿って、フィルム画像を透過した光を結像させるレンズユニット７２、及びラインＣＣＤ７４が順に配設されている。図３では、レンズユニット７２として単一のレンズのみを示しているが、このレンズユニット７２は複数枚のレンズから構成されたズームレンズであってもよい。ラインＣＣＤ７４は、ＣＣＤセルが写真フィルム２２の搬送方向（図３に示される矢印Ａ方向）と直交するようにライン状に配列されて構成されるＣＣＤセル列が３ライン設けられ、各ラインの光入射側にＲ、Ｇ、Ｂの色分解フィルタのいずれかが各々取り付けられた３ラインカラーＣＣＤであり、受光面がレンズユニット７２の結像点位置に一致するように配設されている。従って、ＣＣＤセルの配列方向にフィルム読み取りの主走査がなされ、写真フィルム２２が搬送されることによりフィルム画像読み取りの副走査がなされる。なお、ラインＣＣＤ７４は、３本のライン（ＣＣＤセル列）が写真フィルム２２の搬送方向に沿って所定の間隔を隔てて順に配置されているので、同一の画素におけるＲ、Ｇ、Ｂの各成分色の検出タイミングには時間差がある。この時間差は、ラインメモリに画素データを蓄積し、時間差を考慮してラインメモリ出力を遅延させることにより補正する。
【００２５】
図４には、ラインＣＣＤスキャナ１２の電気系の概略構成が示されている。ラインＣＣＤスキャナ１２には、ラインＣＣＤスキャナ１２全体の制御を司るマイクロプロセッサ３０を備えている。マイクロプロセッサ３０には、バス３２を介してＲＡＭ３４（例えばＳＲＡＭ）、ＲＯＭ３６（例えば記憶内容を書換え可能なＲＯＭ）が接続されていると共に、モータドライバ３８が接続されており、モータドライバ３８にはフィルタ駆動モータ４０が接続されている。フィルタ駆動モータ４０は調光フィルタ７０Ｃ、７０Ｍ、７０Ｙを各々独立にスライド移動させることが可能とされている。
【００２６】
マイクロプロセッサ３０は、図示しない電源スイッチのオンオフに連動して光源６４を点消灯させる。また、マイクロプロセッサ３０は、ラインＣＣＤ７４によるフィルム画像の読み取り（測光）を行う際に、フィルタ駆動モータ４０によって調光フィルタ７０Ｃ、７０Ｍ、７０Ｙを各々独立にスライド移動させ、ラインＣＣＤ７４に入射される光量を各成分色光毎に調節する。
【００２７】
またモータドライバ３８には、レンズユニット７２の複数枚のレンズの位置を相対的に移動させることでレンズユニット７２のズーム倍率を変更するズーム駆動モータ４２、レンズユニット７２全体を移動させることでレンズユニット７２の結像点位置を光軸に沿って移動させるレンズ駆動モータ４４が接続されている。マイクロプロセッサ３０は、フィルム画像のサイズやトリミングを行うか否か等に応じて、ズーム駆動モータ４２によってレンズユニット７２のズーム倍率を所望の倍率に変更する。
【００２８】
一方、ラインＣＣＤ７４にはタイミングジェネレータ４６が接続されている。タイミングジェネレータ４６は、ラインＣＣＤ７４や後述するアナログデジタル変換器（以下、Ａ／Ｄ変換器と称す）５０等を動作させるための各種のタイミング信号（クロック信号）を発生する。従って、タイミングジェネレータ４６から出力されるタイミング信号により、ラインＣＣＤ７４によるフィルム画像の読み取りが行われる。
【００２９】
ラインＣＣＤ７４の信号出力端は、増幅器４８を介してＡ／Ｄ変換器５０の入力端に接続されている。ラインＣＣＤ７４から出力された信号は、増幅器４８で増幅され、Ａ／Ｄ変換器５０でデジタルデータに変換される。
【００３０】
Ａ／Ｄ変換器５０の出力端は、相関二重サンプリング回路（ＣＤＳ）５２を介してインタフェース（Ｉ／Ｆ）回路５４に接続されている。ＣＤＳ５２では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）をＩ／Ｆ回路５４を介してスキャン画像データとして画像処理部１６へ順次出力する。
【００３１】
なお、ラインＣＣＤ７４からはＲ、Ｇ、Ｂの測光信号が出力されるので、増幅器４８、Ａ／Ｄ変換器５０、ＣＤＳ５２から成る信号処理系も３系統設けられており、Ｉ／Ｆ回路５４からはスキャン画像データとしてＲ、Ｇ、Ｂの画像データが出力される。
【００３２】
また、モータドライバ３８には、ラインＣＣＤ７４とレンズユニット７２との間に設けられているシャッタ（図示省略）を開閉させるシャッタ駆動モータ５６が接続されている。ラインＣＣＤ７４の暗出力については、後段の画像処理部１６で補正されるが、暗出力レベルは、フィルム画像の読み取りを行っていないときに、マイクロプロセッサ３０がシャッタを閉止させることで得ることができる。
【００３３】
（画像処理部の構成）
次に画像処理部１６の構成について図５を参照して説明する。画像処理部１６は、ラインＣＣＤスキャナ１２に対応してラインスキャナ補正部１２２が設けられている。ラインスキャナ補正部１２２は、ラインＣＣＤスキャナ１２から並列に出力されるＲ、Ｇ、Ｂの画像データに対応して、暗補正回路１２４、欠陥画素補正部１２８、及び明補正回路１３０から成る信号処理系が３系統設けられている。
【００３４】
暗補正回路１２４は、ラインＣＣＤ７４の光入射側がシャッタにより遮光されている状態で、ラインＣＣＤスキャナ１２から入力されたデータ（ラインＣＣＤ７４のセンシング部の各セルの暗出力レベルを表すデータ）を各セル毎に記憶しておき、ラインＣＣＤスキャナ１２から入力されたスキャン画像データから、各画素毎に対応するセルの暗出力レベルを減ずることによって補正する。
【００３５】
また、ラインＣＣＤ７４の光電変換特性は各セル単位でのばらつきもある。欠陥画素補正部１２８の後段の明補正回路１３０では、ラインＣＣＤスキャナ１２に画面全体が一定濃度の調整用のコマ画像がセットされている状態で、ラインＣＣＤ７４で前記調整用のコマ画像を読み取ることによりラインＣＣＤスキャナ１２から入力された調整用のコマ画像の画像データ（この画像データが表す各画素毎の濃度のばらつきは各セルの光電変換特性のばらつきに起因する）に基づいて各セル毎にゲインを定めておき、ラインＣＣＤスキャナ１２から入力された読取対象のコマ画像の画像データを、各セル毎に定めたゲインに応じて各画素毎に補正する。
【００３６】
一方、調整用のコマ画像の画像データにおいて、特定の画素の濃度が他の画素の濃度と大きく異なっていた場合には、ラインＣＣＤ７４の前記特定の画素に対応するセルには何らかの異常があり、前記特定の画素は欠陥画素と判断できる。欠陥画素補正部１２８は調整用のコマ画像の画像データに基づき欠陥画素のアドレスを記憶しておき、ラインＣＣＤスキャナ１２から入力された読取対象のコマ画像の画像データのうち、欠陥画素のデータについては周囲の画素のデータから補間してデータを新たに生成する。
【００３７】
また、ラインＣＣＤ７４は３本のライン（ＣＣＤセル列）が写真フィルム２２の搬送方向に沿って所定の間隔を空けて順に配置されているので、ラインＣＣＤスキャナ１２からＲ、Ｇ、Ｂの各成分色の画像データの出力が開始されるタイミングには時間差がある。ラインスキャナ補正部１２２は、コマ画像上で同一の画素のＲ、Ｇ、Ｂの画像データが同時に出力されるように、各成分色毎に異なる遅延時間で画像データの出力タイミングの遅延を行う。
【００３８】
ラインスキャナ補正部１２２の出力端はセレクタ１３２の入力端に接続されており、補正部１２２から出力された画像データはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００３９】
イメージプロセッサ部１３６Ａは、メモリコントローラ１３８、イメージプロセッサ１４０、３個のフレームメモリ１４２Ａ、１４２Ｂ、１４２Ｃを備えている。フレームメモリ１４２Ａ、１４２Ｂ、１４２Ｃは各々１フレーム分のコマ画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００４０】
イメージプロセッサ１４０は、フレームメモリ１４２に記憶された画像データを取込み、階調変換、色変換、画像の超低周波輝度成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００４１】
ところで、本実施形態では個々のコマ画像に対し、ラインＣＣＤスキャナ１２において異なる解像度で２回の読み取りを行う。１回目の比較的低解像度での読み取り（以下、プレスキャンという）では、コマ画像の濃度が極端に低い場合（例えばネガフィルムにおける露光オーバのネガ画像）にも、ラインＣＣＤ７４で蓄積電荷の飽和が生じないように決定した読取条件（写真フィルムに照射する光のＲ、Ｇ、Ｂの各波長域毎の光量、ＣＣＤの電荷蓄積時間）でコマ画像の読み取りが行われる。このプレスキャンによって得られた画像データ（プレスキャン画像データ）は、セレクタ１３２から入出力コントローラ１３４に入力され、更に入出力コントローラ１３４に接続されたオートセットアップエンジン１４４に出力される。
【００４２】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００４３】
オートセットアップエンジン１４４は、入出力コントローラ１３４から入力された複数コマ分のコマ画像のプレスキャン画像データに基づいて、ラインＣＣＤスキャナ１２による２回目の比較的高解像度での読み取り（以下、ファインスキャンという）によって得られた画像データ（ファインスキャン画像データ）に対する画像処理の処理条件を演算し、演算した処理条件をイメージプロセッサ部１３６のイメージプロセッサ１４０へ出力する。この画像処理の処理条件の演算では、撮影時の露光量、撮影光源種やその他の特徴量から類似のシーンを撮影した複数のコマ画像が有るか否か判定し、類似のシーンを撮影した複数のコマ画像が有った場合には、これらのコマ画像のファインスキャン画像データに対する画像処理の処理条件が同一又は近似するように決定する。
【００４４】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００４５】
更に、オートセットアップエンジン１４４は、入出力コントローラ１３４から入力されたコマ画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。また、オートセットアップエンジン１４４は、外部から入力されるファイル画像データに対しても、上記と同様にして画像処理の処理条件を演算する。
【００４６】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００４７】
パーソナルコンピュータ１５８は、ＣＰＵ１６０、メモリ１６２、ディスプレイ１６４及びキーボード１６６（図２も参照）、ハードディスク１６８、ＣＤ−ＲＯＭドライバ１７０、搬送制御部１７２、拡張スロット１７４、画像圧縮／伸長部１７６を備えており、これらがバス１７８を介して互いに接続されて構成されている。搬送制御部１７２はフィルムキャリア１４に接続されており、フィルムキャリア１４による写真フィルム２２の搬送を制御する。また、フィルムキャリア１４にＡＰＳフィルムがセットされた場合には、フィルムキャリア１４がＡＰＳフィルムの磁気層から読み取った情報（例えば画像記録サイズ等）が入力される。
【００４８】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００４９】
なお、画像処理部１６は、プレスキャン画像データ等をパーソナルコンピュータ１５８に出力し、ラインＣＣＤスキャナ１２で読み取られたコマ画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００５０】
（フィルムキャリアの構成）
ここで、１３５サイズの写真フィルム２２を搬送するためのフィルムキャリア１４の構成を図６を参照して説明する。なお、図７に示されるように、１３５サイズの写真フィルム２２は、幅方向両端部に所定間隔毎にパーフォレーション５８が穿設されたパーフォレーション穿設領域及びバーコード６０が記録されたバーコード記録領域が形成されている。バーコード記録領域の一方には１トラックのバーコードによってコマ番号等の情報を表すＦＮＳコードが記録され、他方には２トラックのバーコードによってフィルム種等の情報を表すＤＸコードが記録されている。また、図７の写真フィルム２２はネガフィルムを示すものであり、バーコード６０のバー６０Ａが写真フィルム２２のフィルムベース２３の濃度よりも高い濃度で記録されている。これに対して、リバーサルフィルム（図１０参照）２２Ｓの場合は、ネガフィルムの画像とは反転して記録される。このため、リバーサルフィルムに記録されたバーコード６０のバー６０Ａはフィルムベース２３Ｓの濃度よりも低い濃度になっている（詳細後述）。
【００５１】
図６に示されるように、フィルムキャリア１４は、上蓋３０２Ａとベース３０２Ｂとで構成される略箱型の筐体３０２を備えており、この筐体３０２の中に後述するフィルム搬送に係る各種部材が収容されている。筐体３０２の一方の端部には写真フィルム２２を挿入するためのフィルム挿入口３０４が設けられており、他方の端部には写真フィルム２２を収容するためのフィルム収容部３０６が設けられている。フィルム収容部３０６には、写真フィルム２２をフィルム収容部３０６の内周面に沿って案内する略円筒状のガイド板３０７が設けられている。従って、フィルム挿入口３０４から挿入されてフィルム搬送路に沿って搬送された写真フィルム２２はガイド板３０７に案内されることにより、フィルム収容部３０６に巻き回された状態で収容される。
【００５２】
また、筐体３０２は開放スイッチ３０８を操作することにより、上蓋３０２Ａとベース３０２Ｂとの結合が解除される構成であり、前記係合が解除された状態で開放スイッチ３０８と反対側に設けられた図示しないヒンジを中心として上蓋３０２Ａを略上方へ回動させることが可能である。
【００５３】
筐体３０２の内部には、前述したフィルム挿入口３０４からフィルム収容部３０６に至るフィルム搬送路に沿って、写真フィルム２２の先端を検出する端部検出センサ３１０、搬送ローラ対３１２、写真フィルム２２の表面からゴミを除去するゴミ取り用ローラ３１４、写真フィルム２２の幅方向両端部に記録されたバーコード３７を光学的に検出するバーコードセンサ３１６、搬送ローラ対３１８、写真フィルム２２に照射されるスリット光のうちフィルム画像のサイズに応じた範囲を遮光する遮光装置３２０、及び搬送ローラ対３２２が順に配置されている。
【００５４】
端部検出センサ３１０は、一端に写真フィルム２２に接触する接触輪３１０Ａが回転可能に取り付けられ、屈曲部を回転軸として回転するクランク３１０Ｂと、クランク３１０Ｂの他端の通過を検出する発光素子と受光素子とを組み合わせて構成したフォトインタラプタ３１０Ｃと、を含んで構成されている。写真フィルム２２がフィルム搬送路に沿って搬送され、写真フィルム２２の先端エッジが端部検出センサ３１０の接触輪３１０Ａに接触するとクランク３１０Ｂが回転する。クランク３１０Ｂが回転することによって、クランク３１０Ｂの他端がフォトインタラプタ３１０Ｃの発光素子と受光素子の間を通過する。これにより、写真フィルム２２の先端がフィルム搬送路を通過したことが検出できる。また、フォトインタラプタ３１０Ｃによるクランク３１０Ｂの他端の検出後、クランク３１０Ｂの他端が検出されなくなった場合に写真フィルム２２の後端がフィルム搬送路を通過したことが検出できる。すなわち、端部検出センサ３１０によって写真フィルム２２の前後端を検出することができる。なお、写真フィルム２２がリバーサルフィルムである場合には、フィルム先端の光がかぶった部分の濃度が低くなると共に、フィルム後端の未露光部分の濃度が高くなるため、端部検出センサ３１０が光学的なセンサであると、写真フィルム２２の先端等を検出することが困難である。従って、端部検出センサ３１０は機械的な構成とされている。
【００５５】
また、バーコードセンサ３１６には３つのセンサ部３１６Ａ、３１６Ｂ、３１６Ｃが配設されている。センサ部３１６Ａ、３１６Ｃは、写真フィルム２２のバーコード記録領域を写真フィルム２２の長さ方向に沿って検出する。これにより、バーコード記録領域の濃度に応じたレベルの信号が出力される。図９（Ａ）及び図１０（Ａ）には、写真フィルム２２の一部（図７に示される想像線で囲まれた部分ＩＸ）の拡大図が示されている。図９（Ａ）に示される写真フィルム２２はネガフィルムであり、この場合にセンサ部３１６Ａ、３１６Ｃからは図９（Ｂ）に示される信号が出力される（信号特性２４）。すなわち、バーコード６０のバー６０Ａの部分の濃度がフィルムベース２３の濃度よりも高いので、バーコード６０のバー６０Ａを検出したときに出力される信号のレベルはフィルムベース２３やフィルムベース２３と同じ濃度のスペース６０Ｂを検出したときに出力される信号のレベルよりも低くなる。また、フィルムキャリア１４に挿入された写真フィルムが図１０（Ａ）に示されるようにリバーサルフィルム２３Ｓである場合には、センサ部３１６Ａ、３１６Ｃからは図１０（Ｂ）に示される信号が出力される（信号特性２４Ｓ）。すなわち、バーコード６０のバー６０Ａの濃度がフィルムベース２３Ｓの濃度よりも低いので、バーコード６０のバー６０Ａを検出したときに出力される信号のレベルはフィルムベース２３Ｓやフィルムベース２３Ｓと同じ濃度のスペース６０Ｂを検出したときに出力される信号のレベルよりも高くなる。
【００５６】
バーコードセンサ３１６のセンサ部３１６Ｂは、写真フィルム２２の幅方向中央部近傍を写真フィルム２２の長さ方向に沿って検出する。これにより、写真フィルム２２に記録されたフィルム画像のエッジを検出することができる。すなわち、ネガフィルムが図６に示される矢印Ａ方向に搬送されている場合には、センサ部３１６Ｂから出力された信号レベルが所定レベル（フィルムベース２３を検出したときのレベル）よりも低くなったときにフィルム画像の先端エッジを検出したと判断でき、その後信号レベルが所定レベルまで高くなった場合に後端エッジを検出したと判断できる。なお、リバーサルフィルムの場合は上記と逆になる。
【００５７】
搬送ローラ対３１２、３１８、３２２は、各々図６において写真フィルム２２の下側に駆動ローラ３１２Ａ、３１８Ａ、３２２Ａが位置しており、写真フィルム２２の上側に従動ローラ３１２Ｂ、３１８Ｂ、３２２Ｂが位置している。なお、搬送ローラ対３１８、３２２はラインＣＣＤ７４による写真フィルム２２の読取位置を挟んで両側に設けられている。  また、筐体３０２の内部には、駆動ローラ３１２Ａ、３１８Ａ、３２２Ａの駆動力源であるパルスモータ３２４が設置されており、このパルスモータ３２４の駆動軸にはプーリー３２６が取り付けられている。プーリー３２６には無端ベルト３２８が巻き掛けられており、この無端ベルト３２８は駆動ローラ３２２Ａの回転軸に取り付けられたプーリー３３０にも巻き掛けられている。従って、パルスモータ３２４の駆動力はプーリー３２６、無端ベルト３２８、プーリー３３０を介して駆動ローラ３２２Ａに伝達される。
【００５８】
駆動ローラ３２２Ａの回転軸にはプーリー３３２が取り付けられており、このプーリー３３２には無端ベルト３３４が巻き掛けられている。無端ベルト３３４は、駆動ローラ３１８Ａの回転軸に取り付けられたプーリー３３６にも巻き掛けられており、パルスモータ３２４の駆動力はプーリー３３２、無端ベルト３３４、プーリー３３６を介して駆動ローラ３１８Ａにも伝達される。また、駆動ローラ３１８Ａの回転軸にはプーリー３３８が取り付けられており、このプーリーには無端ベルト３４０が巻き掛けられている。無端ベルト３４０は駆動ローラ３１２Ａの回転軸に取り付けられたプーリー３４２にも巻き掛けられており、パルスモータ３２４の駆動力は、プーリー３３８、無端ベルト３４０、プーリー３４２を介して駆動ローラ３１２Ａにも伝達される。
【００５９】
さらに、筐体３０２の内部にはモータ３４４、３４６、３４８が設置されている。モータ３４４の駆動軸には円板３５０が偏心された状態で取り付けられており、円板３５０の外縁付近の所定位置には、従動ローラ３２２Ｂを上下動させるための連結部材３５２の一端が回動可能に軸支されている。連結部材３５２は支軸３５４を中心に回転可能に支持されており、該連結部材３５２の他端側には従動ローラ３２２Ｂが回転可能に軸支されている。このため、モータ３４４の駆動力により円板３５０が矢印Ｃ方向に若干回転すると、連結部材３５２の上部（従動ローラ３２２Ｂの軸支部）は支軸３５４を中心に矢印Ｄ方向に若干回転し、従動ローラ３２２Ｂが駆動ローラ３２２Ａから若干離間する。
【００６０】
同様に、モータ３４８の駆動軸には円板３５６が偏心された状態で取付けられており、円板３５６の外縁付近の所定位置には、従動ローラ３１８Ｂを上下動させるための連結部材３５８の一端が固定されている。この連結部材３５８は支軸３６０を中心に回転可能に軸支されており、該連結部材３５８の他端側には従動ローラ３１８Ｂが回転可能に軸支されている。このため、モータ３４８の駆動力により円板３５６が矢印Ｅ方向に若干回転すると、連結部材３５８の上部（従動ローラ３１８Ｂの軸支部）は支軸３６０を中心に矢印Ｆ方向に若干回転し、従動ローラ３１８Ｂが駆動ローラ３１８Ａから若干離間する。
【００６１】
ところで、搬送ローラ対３１８、３２２間の略中央部は写真フィルム２２の読取位置とされており、上蓋３０２Ａには読取位置の直上にスリット孔３０２Ｃが形成されている。スリット孔３０２Ｃは、写真フィルム２２の搬送方向（図４に示される矢印Ａ方向）と直交する方向に延びている。なお、図示は省略したが、ベース３０２Ｂ及びフィルム搬送路にも読取位置の直下に、光源６４から射出された光が通過するためのスリット孔３０２Ｃと同様のスリット孔が設けられており、図３に示すようにフィルムキャリア１４によって搬送される写真フィルム２２に対し、読取位置において下方から光が照射され、写真フィルム２２を透過した光が、フィルムキャリア１４の上方に位置しているレンズユニット７２を介してラインＣＣＤ７４に入射される。
また、前述した遮光装置３２０は、図８に示されるように、読取位置を通過する写真フィルム２２に照射される光のうち各フィルム画像のサイズに応じた範囲を遮光するものであり、写真フィルム２２のフィルム搬送路を挟んで一対設けられている（図６では手前側の遮光装置３２０のみを図示）。この遮光装置３２０は、図８に示されるように、モータ３４６、歯車３６２、３６４、及び歯車３６４の回転軸に取り付けられたカム状の遮光板３６６を含んで構成されており、例えば、パノラマサイズのフィルム画像を読み取る場合は、図８に示されるように、モータ３４６の駆動力により遮光板３６６を実線の位置まで回転させる。また、標準サイズ（所謂Ｌサイズ）のフィルム画像を読み取る場合は、遮光板３６６を図８の点線の位置まで回転させる。このように読取対象外の領域を遮光することにより、ラインＣＣＤ７４（図３参照）で蓄積電荷の飽和が生ずることを防止している。
【００６２】
（本実施の形態の作用）
次に、本発明の実施の形態の作用を図１１に示されるフローチャートを参照して説明する。ディジタルラボシステム１０のラインＣＣＤスキャナ１２で写真フィルム２２を読み取るにあたり、オペレータは写真フィルム２２をフィルムキャリア１４に形成されたフィルム挿入口３０４に挿入する。写真フィルム２２が挿入され、端部検出センサ３１０によって写真フィルム２２の先端が検出されるとパルスモータ３２４が駆動する。プレスキャン時にパルスモータ３２４の駆動力は、駆動ローラ３１２Ａ、３１８Ａ、３２２Ａに伝達されて図６に示される矢印Ｇ方向に回転する。これにより、搬送ローラ対３１２、３１８、３２２によって写真フィルム２２が矢印Ａ方向に搬送される。
【００６３】
写真フィルム２２が搬送されると、ステップ１００では、写真フィルム２２に記録されたフィルム画像の先端エッジが画像読取位置に到達したか否かを判定する。これは、バーコードセンサ３１６に設けられたセンサ部３１６Ｂから出力される信号のレベルに基づいて判定することができる。すなわち、センサ部３１６Ｂから出力された信号のレベルがネガフィルムの場合は所定レベル（フィルムベース２３やバーコード６０のスペース６０Ｂを検出したときのレベル）よりも低く、リバーサルフィルムの場合は高くなったときから写真フィルム２２を所定時間搬送したときにフィルム画像の先端エッジがラインＣＣＤスキャナ１２の画像読取位置に到達したと判断する。
【００６４】
このステップ１００でラインＣＣＤスキャナ１２の画像読取位置にフィルム画像が到達したと判定された場合には、ステップ１０２においてプレスキャンを行う。すなわち、光源６４から射出されて写真フィルム２２を通過した光がスリット孔３０２Ｃを通過し、レンズユニット７２を介してラインＣＣＤ７４に入射される。次のステップ１０４では、写真フィルム２２に記録された全てのフィルム画像に対するプレスキャンが終了したか否かを判定する。プレスキャンの終了は、端部検出センサ３１０で写真フィルム２２の後端を検出した後、所定時間が経過した場合に写真フィルム２２に記録された全フィルム画像に対するプレスキャンが終了したと判定することができる。このステップ１０４において写真フィルム２２に記録された全てのフィルム画像に対するプレスキャンが終了していると判定された場合には、ステップ１０６に移行し、プレスキャンによって得られたプレスキャン画像データに基づいてファインスキャン時の読取条件等を設定する。
【００６５】
ステップ１０６において読取条件等の設定が終了すると、一旦写真フィルム２２の搬送を停止し、再度パルスモータ３２４を駆動して駆動ローラ３１２Ａ、３１８Ａ、３２２Ａを図６に示される矢印Ｈ方向に回転する。これにより、搬送ローラ対３１２、３１８、３２２によって写真フィルム２２が矢印Ｂ方向に搬送される。
【００６６】
写真フィルム２２が矢印Ｂ方向に搬送されると、ステップ１０８では写真フィルム２２に記録されたフィルム画像の後端エッジが画像読取位置に到達したか否かを判定する。このステップ１０８において、写真フィルム２２に記録されたフィルム画像の後端エッジが画像読取位置に到達したと判定されると、ステップ１１０ではステップ１０６で設定された読取条件に基づいてファインスキャンを行う。次のステップ１１２では、写真フィルム２２に記録された全てのフィルム画像に対してファインスキャンが終了したか否かを判定する。ファインスキャンの終了は、プレスキャンの終了と略同様に判定でき、端部検出センサ３１０で写真フィルム２２の先端を検出したときに写真フィルム２２に記録された全フィルム画像に対するファインスキャンが終了したと判定する。
【００６７】
続いて、ステップ１１４ではフィルムキャリア１４によって搬送されている写真フィルム２２がネガフィルムであるか、リバーサルフィルムであるかを判定する。これは、バーコードセンサ３１６のセンサ部３１６Ａ、３１６Ｃのいずれかから出力される信号のレベルに基づいて判定することができる。本実施の形態では、バーコードセンサ３１６のセンサ部３１６Ａから出力される信号のレベルに基づいて判定している。上記で説明したように、ネガフィルムのバーコード６０を検出した場合には図９（Ｂ）の信号特性２４が得られ、リバーサルフィルムのバーコード６０を検出した場合には図１０（Ｂ）に示す信号特性２４Ｓが得られる。写真フィルムを先端側からフィルムキャリア１４に挿入して検出しときの出力が図９（Ｂ）に示される信号特性２４であった場合には、フィルムキャリア１４で搬送されている写真フィルム２２はネガフィルムであると判定する。一方、図１０（Ｂ）に示される信号特性２４Ｓが得られた場合には、フィルムキャリア１４で搬送されている写真フィルムはリバーサルフィルム２２Ｓであると判定する。
【００６８】
ステップ１１４において、フィルムキャリア１４で搬送されている写真フィルム２２がネガフィルムであると判定された場合には、ステップ１１６に移行する。ステップ１１６では、ステップ１１０で読み取られたファインスキャン画像データを画像処理部１６で反転し、反転したファインスキャン画像データを記録用画像データとして出力部２８（レーザプリンタ部１８）に出力する。一方、ステップ１１４において写真フィルム２２がリバーサルフィルムであると判定された場合には、ステップ１１０で読み取られたファインスキャン画像データを記録用画像データとして出力部２８に出力する。
【００６９】
これにより、写真フィルム２２がネガフィルムであるか、リバーサルフィルムであるかに拘らず、印画紙にポジ画像を記録するための記録用画像データが出力部２８に入力される。従って、出力部２８に備えられたレーザプリンタ部１８及びプロセッサ部２０は、写真フィルム２２がネガフィルムであるか、リバーサルフィルムであるかに拘らず自動的にポジ画像を記録することができる。なお、必要に応じてネガフィルム及びリバーサルフィルムからネガ画像を形成するようにしてもよい。
【００７０】
以上のようにして、フィルムキャリア１４で搬送されている写真フィルム２２がネガフィルムであるか、リバーサルフィルムであるかを検出して処理するので、同一のフィルムキャリア１４をいずれの写真フィルム２２にも兼用することができる。
【００７１】
なお、本実施の形態では１トラックのバーコード（ＦＮＳコード）６０が記録されたバーコード記録領域をバーコードセンサ３１６のセンサ部３１６Ａで検出して出力された信号に基づいて、写真フィルム２２がネガフィルムであるか、リバーサルフィルムであるかを検出する例について説明したが、これに限定されるものではない。例えば、２トラックのバーコード（ＤＸコード）が記録されたバーコード記録領域を検出するバーコードセンサ３１６のセンサ部３１６Ｃから出力される信号に基づいて検出するようにしてもよい。
【００７２】
また、本実施の形態においては、バーコードセンサ３１６のセンサ部３１６Ｂによってフィルム画像のエッジを検出して画像読取位置でのプレスキャン及びファインスキャンの開始を指示する例について説明したが、これに限るものではない。例えば、バーコードセンサ３１６のセンサ部３１６Ａ、３１６Ｃによって写真フィルム２２の幅方向両端部に所定間隔で穿設されたパーフォレーション５８を検出して個数をカウントし、このパーフォレーション５８のカウント値に基づいてプレスキャン及びファインスキャンの開始を指示する構成としてもよい。
【００７３】
さらに、写真フィルム２２にはフィルム画像に対応する位置にノッチ６２（図７参照）を形成することがある。この場合には、バーコード記録領域に記録されたバーコード６０の一部が損失してバーコード６０を正確に読み取ることができず、コマ番号やフィルム種等の情報を印画紙の裏面に印字することができない場合が生ずる。従って、ノッチ６２を形成した場合には、写真フィルム２２のフィルム画像に対応する位置に表示されたコマ数字６８（図７参照）をラインＣＣＤ７４で読み取り、印画紙の裏面に印字するようにしてもよい。
【００７４】
また、１３５サイズの写真フィルム２２は、写真フィルム２２をパトローネから取り出してフィルムキャリア１４に挿入して搬送する。このため、写真フィルム２２の搬送時に写真フィルム２２の先端側はフィルム収容部３０６に収容されるものの後端側がフィルムキャリア１４の外部に露出した状態となる。このとき、オペレータ等が写真フィルム２２に触れると写真フィルム２２に搬送負荷変動が発生し、搬送ジッターが許容値を超えることがある。従って、１３５サイズの写真フィルム２２をフィルムキャリア１４で搬送する場合には、図１２（Ａ）及び（Ｂ）に示されるように、パトローネから取り出された写真フィルム２２を一旦パトローネと略同様な形状の中間カートリッジ９０に巻き込み、中間カートリッジ９０をフィルムキャリア１４のフィルム挿入口３０４に装填する構成としてもよい。
【００７５】
さらに、１３５サイズの写真フィルム２２のピースフィルム２２Ｂをフィルムキャリア１４で搬送する場合には、図１３に示されるようにピースフィルム２２Ｂにリーダー９２をスプライステープ９６で接合して搬送するようにしてもよい。このとき、フィルムキャリア１４の例えばフィルム収容部３０６内に巻取りローラ９４を配設し、この巻取りローラ９４を一定速度で回転させてリーダー９２が接合されたピースフィルム２２Ｂを巻き取ることにより搬送する。これにより、複数の搬送ローラ対によって写真フィルム２２の凹凸があるパーフォレーション穿設領域を挟持して搬送する場合に生じる搬送ジッターを防止することができる。なお、巻取りローラ９４を一定速度で回転させて写真フィルムを巻き取る場合、徐々に巻取り径が大きくなってフィルム搬送速度が速くなる。このため、巻取りローラ９４の回転速度を徐々に遅くしてフィルム搬送速度が一定になるようにすることが好ましい。
【００７６】
また、本実施の形態では１３５サイズの写真フィルム２２を搬送するフィルムキャリア１４について説明したが、ＡＰＳフィルム２２Ａにも適用可能である。ＡＰＳフィルム２２Ａとは、図１４に示されるように、幅方向の一端部にバーコード７８が記録されたバーコード記録領域が形成され、幅方向の他端部にパーフォレーション８０が穿設されたパーフォレーション穿設領域が形成されている。パーフォレーション８０は、ＡＰＳフィルム２２Ａに記録された各フィルム画像における先端エッジ近傍と後端エッジ近傍にそれぞれ穿設されている。また、ＡＰＳフィルム２２Ａの幅方向両端部にはフィルム画像等に関する各種情報が磁気記録された磁気記録層８２が形成されている。
【００７７】
ＡＰＳフィルム２２Ａを搬送するフィルムキャリア１４Ａは、１３５サイズの写真フィルム２２を搬送するフィルムキャリア１４と若干異なる構成となっているため、図１５乃至図１７を参照して説明する。なお、前述した１３５サイズの写真フィルム２２を搬送するためのフィルムキャリア１４と略同一構成部分については詳細な説明を省略する。また、フィルムキャリア１４Ａは前述した１３５サイズの写真フィルム２２を搬送するフィルムキャリア１４と同様に略箱型の筐体に内蔵されているが、図１５乃至図１７では筐体の図示を省略している。
【００７８】
図１５乃至図１７に示されるフィルムキャリア１４Ａには、ＡＰＳフィルム２２Ａを収容したカートリッジ４０２が所定の位置にセットされ、セットされたカートリッジ４０２からＡＰＳフィルム２２Ａを引き出す方向に沿って、後述する各種搬送ローラ対が配置されている。なお、以下では、図１５に示される矢印Ｊ方向のＡＰＳフィルム２２Ａを引き出す方向を引出方向と称し、矢印Ｋ方向のＡＰＳフィルム２２Ａをカートリッジ４０２に巻き戻して収容する方向を収容方向と称する。
【００７９】
上記カートリッジ４０２をセットする所定の位置から引出方向に沿って、搬送ローラ対４０４、ゴミ取り用ローラ４０６、磁気記録層８２の表面からゴミを除去するゴミ取りローラ４０８（ＡＰＳフィルム２２Ａの幅方向両端部に対応して一対）、磁気記録層８２からの磁気情報の読み取りを行う磁気ヘッド４１０Ｒ及び磁気記録層８２への磁気情報の書き込みを行う磁気ヘッド４１０Ｗをそれぞれ備えた磁気情報読み書き部４１０（ＡＰＳフィルム２２Ａの幅方向両端部に対応して一対）、パーフォレーション８０及びバーコード７８を検出するパーフォレーションセンサ４１２、搬送ローラ対４１４、ＡＰＳフィルム２２Ａの幅方向に沿った反りを矯正してＡＰＳフィルム２２Ａにおけるフィルム画像の走査位置（実際にはＡＰＳフィルム２２Ａの長さ方向に微小な幅の細長い領域）でＡＰＳフィルム２２Ａの表面が平面となるように保持するためのフィルム支持部材４１６、搬送ローラ対４１８、４２０、ＡＰＳフィルム２２Ａの仮巻き取り部４２２が順に配設されている
ＡＰＳフィルム２２Ａの幅方向に沿った反りを矯正するフィルム支持部材４２２は、２枚の平板を円弧状に屈曲させて下側に凸の形状に形成された２枚の屈曲板をおよそ０．８ｍｍの隙間を隔てて構成されている。また、２枚の屈曲板には、ＡＰＳフィルム２２Ａの幅方向に延びた画像読取用のスリット孔４１５が穿設されている。なお、図１５乃至図１７に示されるフィルム支持部材４２２は、下側に凸の形状に形成したが、上側に凸の形状に形成してもよい。また、フィルム支持部材４１６を挟んで配設された搬送ローラ対４１４、４１８は省略可能である。
【００８０】
パーフォレーションセンサ４１２は、パーフォレーション８０を検出すると共にＡＰＳフィルム２２Ａのバーコード記録領域の濃度に応じたレベルの信号を出力する。このとき、フィルムキャリア１４Ａに挿入されたＡＰＳフィルム２２Ａがネガフィルムである場合には、バーコード７８のバーを検出したときに出力される信号のレベルがバーコード７８のバーのスペース（フィルムベースの濃度と等しい）を検出したときに出力される信号のレベルよりも低い。一方、リバーサルフィルムである場合には、バーコード７８のバーを検出したときに出力される信号のレベルがバーコード７８のスペースを検出したときに出力される信号のレベルよりも高い。
【００８１】
また、磁気記録層８２からの磁気情報の読み取りを行う磁気ヘッド４１０Ｒは、図１６に示されるように、増幅器９８を介してパーソナルコンピュータ１５８に接続されている。このとき、パーフォレーションセンサ４１２から出力された信号に基づいて、ＡＰＳフィルム２２Ａがネガフィルムであるか、リバーサルフィルムであるかを判定し、判定結果に基づいて増幅器９８のゲインを調整する。すなわち、ＡＰＳフィルム２２Ａがリバーサルフィルムであると判定された場合には、ゲインを２倍に調整する。これは、リバーサルフィルムは画質を向上するために磁気記録層８２を形成する磁性材料がネガフィルムの半分であり、磁気ヘッド４１０Ｒからの出力が半分になることを考慮している。
【００８２】
搬送ローラ対４０４、４１４、４１８、４２０は、前述したフィルムキャリア１４の搬送ローラ対３１２、３１８、３２２と同様に、駆動ローラ４０４Ａ、４１４Ａ、４１８Ａ、４２０Ａと、従動ローラ４０４Ｂ、４１４Ｂ、４１８Ｂ、４２０Ｂによって構成されている。
【００８３】
また、フィルムキャリア１４Ａには、駆動ローラ４０４Ａ、４１４Ａ、４１８Ａ、４２０Ａの駆動力源となるモータ４３０が設置されており、このモータ４３０の駆動軸４３２と搬送ローラ対４１４の駆動軸４３２と搬送ローラ対４１４の駆動軸４３４とは、径が異なる複数のプーリーや無端ベルト等を含んで構成された多段階変速機構４４０によって連結されている。
【００８４】
搬送ローラ対４１４の駆動軸４３４には無端ベルト４５２、４５４が巻き掛けられており、このうち無端ベルト４５２は搬送ローラ対４０４の駆動軸４５６に、無端ベルト４５４は搬送ローラ対４１８の駆動軸４５８に、それぞれ巻き掛けられている。また、搬送ローラ対４１８の駆動軸４５８には無端ベルト４６０が巻き掛けられており、この無端ベルト４６０は搬送ローラ対４２０の駆動軸４６２に巻き掛けられている。これにより、モータ４３０の駆動力により搬送ローラ対４１４の駆動軸４３４が回転駆動されることで、駆動軸４５６、４５８、４６２も回転駆動される。従って、モータ４３０の回転速度を一定に保持しながら、上記多段階変速機構４４０によって搬送ローラ対４１４の駆動軸４３４の回転速度を変化させることにより、駆動軸４５６、４５８、４６２の回転速度も変化させ、ＡＰＳフィルム２２Ａの搬送速度を変更可能にしている。
【００８５】
ところで、搬送ローラ対４１４、４１８間の略中央部はＡＰＳフィルム２２Ａの走査位置とされており、フィルムキャリア１４Ａの筐体（図示省略）における該走査位置の真上部及び真下部並びに前述したフィルム支持部材４１６には走査光用のスリット孔４１５が形成されている。すなわち、フィルムキャリア１４Ａ内を搬送されるＡＰＳフィルム２２Ａに対し、図３に示されるように走査位置において下方から走査光が照射され、その透過光がフィルムキャリア１４Ａの上方に配設されたラインＣＣＤ７４に到達するように構成されている。
【００８６】
なお、図示は省略したが、カートリッジ４０２を図１４に示される位置にセットしたときにカートリッジ４０２からＡＰＳフィルム２２Ａの先端部を引き出し、搬送ローラ対４０４の挟持部へ自動的に送り出すフィルム送り出し機構もフィルムキャリア１４Ａに内蔵されている。
【００８７】
また、上記フィルムキャリア１４Ａは、カートリッジ４０２に収容されたＡＰＳフィルム２２Ａのみならず、カートリッジ４０２から取り出したストリップフィルムについても図１５で想像線で示されるように搬送ローラ対４０４の挟持部へ挿入することにより、前述と同じ経路を搬送することが可能とされている。
【００８８】
さらに、ＡＰＳフィルム２２Ａの幅方向の反りを矯正するフィルム支持部材は図１８に示される構成としてもよい。図１８（Ａ）に示されるように、フィルム支持部材８６は、平板を略コ字形状に屈曲させ、一端をさらに略直角に屈曲させてフィルム押さえ部８６Ａが形成された部材がＡＰＳフィルム２２Ａの幅方向両端部に対応して配置され、その間にはナングレアガラス８８が挿入されている。このフィルム支持部材８６のフィルム押さえ部８６ＡによってＡＰＳフィルム２２Ａの反りを押さえて搬送する（図１８（Ｂ）参照）。なお、フィルム押さえ部８６Ａは長さ方向の両端部が円弧状に形成されており、ＡＰＳフィルム２２Ａがこのフィルム支持部材８６に挿入され易い形状とされている。また、フィルム支持部材８６における図１８（Ａ）に示される高さ寸法Ｔは、ＡＰＳフィルム２２Ａの厚みと被写界深度を合わせた寸法とされている。なお、写真フィルムの幅方向に沿った反りを矯正するためのフィルム支持部材は、１３５サイズの写真フィルム２２を搬送する前述したフィルムキャリア１４にも適用可能である。
【００８９】
また、１３５サイズの写真フィルム２２は記録されたフィルム画像を印画紙にプリントする際に、フィルム画像の画面中心をプリント中心と一致させている。一方、ＡＰＳフィルム２２Ａを用いてカメラで撮影した場合には、ＡＰＳフィルム２２Ａに穿設されたパーフォレーション８０のうち、フィルム後端側に穿設されているパーフォレーションの位置を基準として所定時間（１／２コマ分）搬送させることによって、プリント中心を決定している。しかし、カメラの精度等によりフィルム画像の記録位置とパーフォレーション８０の位置がずれることがある。この場合には、パーフォレーション８０を基準として決定したプリント中心と、実際のフィルム画像の画面中心がずれることになる。従って、ＡＰＳフィルム２２Ａに記録されたフィルム画像をプリントする際には、フィルム画像の画面中心が判定可能なフィルム画像については、このフィルム画像をＣＣＤスキャナで読み取り、読み取った画像データを用いてフィルム画像の中心を演算し、フィルム画像の画面中心とプリント中心を一致させることが好ましい。なお、フィルム画像の画面中心が判定できないフィルム画像については、前述したようにパーフォレーションの位置を基準として画面中心を決定する。
【００９０】
さらに、フィルムキャリア１４、１４Ａに形成されたフィルム搬送路の幅寸法と写真フィルム２２、２２Ａの幅寸法は一致しているとは限らないため、写真フィルム２２、２２Ａがフィルム搬送路を搬送するときに蛇行することがある。本実施の形態では、写真フィルム２２、２２Ａに記録されたフィルム画像をＲ、Ｇ、Ｂ３本のＣＣＤセル列が配列されたラインＣＣＤスキャナ１２で読み取る。このため、画像読取位置で写真フィルム２２が蛇行すると読み取った画像データが表す色が実際の色とずれる（所謂色ずれが生じる）。この色ずれを防止するためには、写真フィルム２２、２２Ａがフィルム搬送路内で蛇行しないように搬送する必要がある。そこで、図１９（Ａ）に示されるように、スリット孔３０２Ｃ、４１５が形成された画像読取位置近傍では写真フィルム２２、２２Ａをフィルム搬送路の幅方向の一方に寄せて搬送する。これは、画像読取位置を挟んで一対のベアリングローラ７６Ａ、７６Ｂを配設し、フィルム搬送路の側面の一方を基準面８４としてベアリングローラ７６Ａ、７６Ｂで写真フィルム２２、２２Ａを幅方向（図１２に示される矢印Ｌ方向）に押圧する。これにより、画像読取位置では写真フィルム２２、２２Ａが蛇行せずに搬送されるので、画像読取時の色ずれを防止できる。
【００９１】
また、フィルム画像が焼き付けられた印画紙に対してハイパートーンやハイパーシャープネス等の高品位仕上げを行うことがある。このように高品位仕上げを行ったプリントを顧客に返却したときに、顧客は撮影が上手くできたものと思い、ディジタルラボシステム１０と通常のラボシステムとの差による仕上がりの違いに気が付かないことがある。このため、高品位仕上げを行った場合にはその内容をプリントの裏面やインデックスプリントにフロントプリント又は裏印字するようにしてもよい。
【００９２】
上記では、写真フィルム２２、２２Ａに記録されたバーコード６０を検出することによりネガフィルムであるか、リバーサルフィルムであるかを判定する例について説明したが、フィルムベース２３、２３Ｓの濃度を検出することによって判定するようにしてもよい。
【００９３】
【発明の効果】
以上説明したように本発明によれば、写真フィルムがネガフィルムであるか、リバーサルフィルムであるかを検出するので、いずれの写真フィルムであっても同一のフィルムキャリアを兼用することができる、という優れた効果を有する。
【００９４】
また、読取手段で読み取られた画像データとフィルムキャリアの検出手段による検出結果とに基づいてネガフィルム及びリバーサルフィルムの少なくとも一方に対応するプリントを作成するので、写真フィルムがネガフィルムであるか、リバーサルフィルムであるかに拘らず自動的にプリントを作成することができる、という優れた効果を有する。
【図面の簡単な説明】
【図１】本実施の形態に係るディジタルラボシステムの概略構成図である。
【図２】ディジタルラボシステムの外観図である。
【図３】ラインＣＣＤスキャナの光学系の概略構成図である。
【図４】ラインＣＣＤスキャナの電気系の概略構成図である。
【図５】画像処理部の概略構成図である。
【図６】１３５サイズの写真フィルムを搬送するフィルムキャリアを示す概略構成図である。
【図７】１３５サイズの写真フィルムの概略図である。
【図８】遮光装置による走査光の遮光動作を説明する説明図である。
【図９】（Ａ）はネガフィルムの一部を示す拡大図であり、（Ｂ）はバーコードセンサから出力される信号を示している。
【図１０】（Ａ）はリバーサルフィルムの一部を示す拡大図であり、（Ｂ）はバーコードセンサから出力される信号を示している。
【図１１】本実施の形態の制御ルーチンを示すフローチャートである。
【図１２】（Ａ）は中間カートリッジの斜視図を示しており、（Ｂ）は中間カートリッジをフィルムキャリアに装填してときの概略図を示している。
【図１３】リーダーを接合したピースフィルムの斜視図である。
【図１４】ＡＰＳフィルムの概略図である。
【図１５】ＡＰＳフィルムを搬送するフィルムキャリアの概略構成を示す概略斜視図である。
【図１６】ＡＰＳフィルム用のフィルムキャリアの概略構成を示す概略側面図である。
【図１７】ＡＰＳフィルム用のフィルムキャリアの概略構成を示す概略上面図である。
【図１８】フィルム支持部材の構成を示す概略図である。（Ａ）はフィルム支持部材の概略斜視図を示しており、（Ｂ）は断面図を示している。
【図１９】写真フィルム搬送時の蛇行を防止する装置を示す概略構成図である。（Ａ）は写真フィルムのフィルム搬送路上方からの上面図を示しており、（Ｂ）は（Ａ）におけるＢ−Ｂ線断面図を示している。
【符号の説明】
１０    ディジタルラボシステム（プリントシステム）
１２    ラインＣＣＤスキャナ（読取手段）
１４    フィルムキャリア
１８    レーザプリンタ部（プリント作成装置）
２０    プロセッサ部（プリント作成装置）
２２    写真フィルム（ネガフィルム）
２２Ａ    ＡＰＳフィルム
２２Ｓ    リバーサルフィルム
３１６    バーコードセンサ（検出手段）
４１２    パーフォレーションセンサ（検出手段）
【図１】
0003836577.tif 000002
【図２】
0003836577.tif 000003
【図３】
0003836577.tif 000004
【図４】
0003836577.tif 000005
【図５】
0003836577.tif 000006
【図６】
0003836577.tif 000007
【図７】
0003836577.tif 000008
【図８】
0003836577.tif 000009
【図９】
0003836577.tif 000010
【図１０】
0003836577.tif 000011
【図１１】
0003836577.tif 000012
【図１２】
0003836577.tif 000013
【図１３】
0003836577.tif 000014
【図１４】
0003836577.tif 000015
【図１５】
0003836577.tif 000016
【図１６】
0003836577.tif 000017
【図１７】
0003836577.tif 000018
【図１８】
0003836577.tif 000019
【図１９】
0003836577.tif 000020